(57)【要約】【課題】後垂れ液のカップへの付着をより確実に防止する。【解決手段】飲料をカップの内部に注出する液体注出装置であって、前記カップの上方において、前記カップの開口に対して吐出口が斜め下方を向くように配置され、前記飲料を前記カップの内部に吐出するノズルと、前記ノズルと前記カップとの間に配置され、前記飲料が前記吐出口から吐出し終わる際に前記吐出口から落下する後垂れ液を前記カップの開口の外側に案内するために、前記カップの外側に向かって斜め下方に傾斜する案内溝を有する後垂れ液排出部材と、を備え、前記後垂れ液排出部材は、前記カップの上方の端部に前記カップの開口に向けて突出して形成され、前記後垂れ液を前記カップの開口に案内する案内片と、を有することを特徴とする液体注出装置。【選択図】図５
2014081889.tif 000002
【特許請求の範囲】
【請求項１】
飲料をカップの内部に注出する液体注出装置であって、
前記カップの上方において、前記カップの開口に対して吐出口が斜め下方を向くように配置され、前記飲料を前記カップの内部に吐出するノズルと、
前記ノズルと前記カップとの間に配置され、前記飲料が前記吐出口から吐出し終わる際に前記吐出口から落下する後垂れ液を前記カップの開口の外側に案内するために、前記カップの外側に向かって斜め下方に傾斜する案内溝を有する後垂れ液排出部材と、
を備え、
前記後垂れ液排出部材は、前記カップの上方の端部に前記カップの開口に向けて突出して形成され、前記後垂れ液を前記カップの開口に案内する案内片と、を有することを特徴とする液体注出装置。
【請求項２】
請求項１に記載の液体注出装置であって、
前記後垂れ液排出部材の長手方向における前記案内片の厚みは、前記カップの開口に向かうにつれて薄くなる
ことを特徴とする液体注出装置。
【請求項３】
請求項２に記載の液体注出装置であって、
前記カップの開口に対向する前記案内片の下端部は、先鋭な形状を呈している
ことを特徴とする液体注出装置。
【請求項４】
請求項２に記載の液体注出装置であって、
前記カップの開口に対向する前記案内片の下端部は、面取り加工されている
ことを特徴とする液体注出装置。
【請求項５】
請求項４に記載の液体注出装置であって、
前記案内片の下端部は、曲面の形状を呈している
ことを特徴とする液体注出装置。
【発明の詳細な説明】
【技術分野】
【０００１】
本発明は、カップ式自動販売機や、飲料ディスペンサ等において液体飲料をカップに注出する液体注出装置に関する。
【背景技術】
【０００２】
今日、様々な種類のカップ式自動販売機や飲料ディスペンサが様々な場所に設置されており、日々の生活を便利なものにしている。  
このようなカップ式自動販売機や飲料ディスペンサは、利用者が選択した飲料を機内で調理し、カップに注いで利用者に提供する液体注出装置を備えている（例えば、特許文献１参照）。
【先行技術文献】
【特許文献】
【０００３】
【特許文献１】特開２０１０−１８１９２５号公報
【発明の概要】
【発明が解決しようとする課題】
【０００４】
引用文献1に開示されるカップ式自動販売機は、カップの内部に対して斜め下方に吐出口を向けるように配置されるノズルから飲料をカップ内に吐出するようにしている。
【０００５】
しかしながら、ノズルから吐出される飲料には、コーヒーや炭酸飲料等の粘度の比較的高い液体も含まれており、吐出終了後も吐出口から飲料が後垂れ液として垂れ続けることがある。そうすると、利用者が自動販売機からカップを取り出す際に、後垂れ液がカップの外側面等に付着してしまうことがある。
【０００６】
そのため、この従来のカップ式自動販売機は、ノズルの吐出口から垂れる後垂れ液をノズルの下方で受け止めて、それをカップの縁を跨いでその外部に排出する樋状（断面略Ｕ字型）の部材をノズルに付設して設けている。しかしながら、この様な部材を設けた場合であっても、後垂れ液が、カップ上方に位置する部材の一端からその下側に回りこんでしまうと、この樋の下側に回り込んだ後垂れ液が下側底面を伝わって途中でカップの縁に落下し、カップの外側面等に付着する可能性がある。
【０００７】
本発明はこのような課題を鑑みてなされたものであり、ノズルの吐出口から垂れる後垂れ液のカップへの付着をより確実に防止することが可能な液体注出装置を提供することを目的とする。
【課題を解決するための手段】
【０００８】
上記課題を解決するための手段の一つは、飲料をカップの内部に注出する液体注出装置であって、前記カップの上方において、前記カップの開口に対して吐出口が斜め下方を向くように配置され、前記飲料を前記カップの内部に吐出するノズルと、前記ノズルと前記カップとの間に配置され、前記飲料が前記吐出口から吐出し終わる際に前記吐出口から落下する後垂れ液を前記カップの開口の外側に案内するために、前記カップの外側に向かって斜め下方に傾斜する案内溝を有する後垂れ液排出部材と、を備え、前記後垂れ液排出部材は、前記カップの上方の端部に前記カップの開口に向けて突出して形成され、前記後垂れ液を前記カップの開口に案内する案内片と、を有することを特徴とする液体注出装置である。
【０００９】
その他、本願が開示する課題、及びその解決方法は、発明を実施するための形態の欄の記載、及び図面の記載等により明らかにされる。
【発明の効果】
【００１０】
本発明によれば、後垂れ液のカップへの付着をより確実に防止することが可能になる。
【図面の簡単な説明】
【００１１】
【図１】本実施形態に係る液体注出装置を備える自動販売機の外観構成例を示す図である。
【図２】本実施形態に係る液体注出装置を備える自動販売機内の液体回路構成例を示す図である。
【図３】液体注出ノズル及び後垂れ防止ガイドを示す図である。
【図４】後垂れ防止ガイドを示す図である。
【図５】液体注出ノズルから落下する飲料の後垂れ液がカップへ付着することを防止する態様を説明するための図である。
【図６】後垂れ防止ガイドの回り込み防止板を示す図である。
【図７】液体注出ノズルからの後垂れ液を示す図である。
【発明を実施するための形態】
【００１２】
===自動販売機の外観構成例===
図１を参照しつつ、本実施形態に係る液体注出装置を備える自動販売機１０００の外観構成例について説明する。図１に例示するように、本実施の形態に係る自動販売機１０００は、正面に接客面１１０を有する前扉１０２を備えて構成される。
【００１３】
本実施の形態に係る自動販売機１０００は、例えば、利用者から所定金額の金銭が投入されると、カップＣにコーヒー等の飲料を注いで利用者に提供する。
【００１４】
前扉１０２は、各種機器等を収容する本体（不図示）の側端部に軸支されて開閉する。この前扉１０２は、例えばルートマンによる金銭の補充や回収等に際しては開錠して開けられる一方、飲料販売に際しては施錠して閉じられている。
【００１５】
接客面１１０は、利用者と自動販売機１０００とのインタフェースを司るものであり、商品選択ボタン１１１、砂糖増減ボタン１１２、クリーム増減ボタン１１３、増減量表示ランプ１２０、１２１、販売表示ランプ１２２、及び動作表示ディスプレイ１２５等を備えている。
【００１６】
商品選択ボタン１１１は、利用者が飲料を選択するためのボタンであり、本実施の形態では、販売可ランプ（不図示）や売り切れランプ（不図示）を内蔵し、接客面１１０上で複数種類の飲料の写真や絵柄、銘柄等の表示にそれぞれ対応するように配置されている。
【００１７】
販売表示ランプ１２２は、商品取出口１１９の所定位置に使い捨てカップを払い出して飲料を販売する旨を利用者に対し表示するべく点灯する。動作表示ディスプレイ１２５は、利用者に対して飲料の調理状況や所定のメッセージを表示する。
【００１８】
また接客面１１０は、硬貨投入口１１５、紙幣挿入口１１６、返却レバー１１７、カード用リーダライタ１１４、硬貨返却口１１８、及び商品取出口１１９を備えている。
【００１９】
硬貨投入口１１５は、利用者が飲料の代金を支払うべく硬貨を投入するためのものである。また、紙幣挿入口１１６は、利用者が飲料の代金を支払うべく紙幣を挿入するためのものである。
【００２０】
返却レバー１１７は、投入された硬貨、紙幣、或いは釣銭を返却するためのものである。この場合、硬貨は硬貨返却口１１８に、紙幣は紙幣挿入口１１６に返却される。カード用リーダライタ１１４は、飲料販売時に利用者によってＩＣカードがかざされると、そのＩＣカードからその販売代金に相当する電子マネー等の対価を引き落とし、その記録をＩＣカードに書き込んだりするためのものである。
【００２１】
商品取出口１１９は、カップＣが載置される空間を有するとともに、このカップＣに液体注出ノズル２４０を通じて飲料が供給される空間を有するものである。利用者は、飲料が供給されたカップＣを商品取出口１１９を介して取り出すようになっている。
【００２２】
===自動販売機の液体回路構成例===
図２は、本実施形態に係る自動販売機１０００の液体回路２００を示す図である。  
給水弁２１３は、例えば水道水を貯水タンク３００に取り入れるための電磁弁である。給水弁２１３を開放すると水道水が貯水タンク３００に流入する。
【００２３】
貯水タンク３００は、水道水を貯留しておくためのタンクである。この水は、飲料を調理するための希釈液として利用されたり、後述するカーボネータ２１９により炭酸水の製造に利用されたり等、様々な用途に使用される。
【００２４】
送水ポンプ４００は、貯水タンク３００内に貯留する水を、送水路２４２を通じて吸引して送水路２４３に吐出することにより、貯水タンク３００内の水を自動販売機１０００内の各機器に供給する。例えば送水ポンプ４００を駆動すると、貯水タンク３００に貯留された水が送水路２４３を通じてカーボネータ２１９や温水タンク２３０などに送水される。
【００２５】
送水路２４３は、冷水回路２１４及び温水回路２１５に分岐している。冷水回路２１４に送られた水は、冷却水槽２１６に貯留している冷却水に浸漬した水冷却コイル２１７を通流することにより冷却される。
【００２６】
水冷却コイル２１７には給水弁２１８と冷水管路２２０とが接続されている。給水弁２１８にはカップＣに炭酸水を供給するカーボネータ２１９が接続されている。送水ポンプ４００を駆動して給水弁２１８を開放するとカーボネータ２１９に冷水が供給される。
【００２７】
カーボネータ２１９は、冷却水槽２１６に浸漬されており、炭酸ガスボンベ２２２から供給された炭酸ガスを冷水に溶解することで炭酸水を生成する。また、カーボネータ２１９には、炭酸水弁２２３を介して液体注出ノズル２４０が接続されている。炭酸水弁２２３を開放すると、炭酸ガスボンベ２２２から供給される炭酸ガスの圧力によりカーボネータ２１９から炭酸水が押し出される。そしてカーボネータ２１９から押し出された炭酸水が、液体注出ノズル２４０からカップＣに注出される。
【００２８】
冷水管路２２０には、冷水弁２２１を介して液体注出ノズル２４０が接続されている。コールド飲料注出時（販売時）には、送水ポンプ４００を駆動して冷水弁２２１を開放すると、液体注出ノズル２４０からカップＣに冷水が注出される。
【００２９】
また、冷却水槽２１６には複数のシロップ冷却コイル２２４が浸漬されている。そして各シロップ冷却コイル２２４には、シロップ飲料の原液となる各種のシロップが貯蔵される複数のシロップコンテナ２２５がそのシロップの有無を検知するシロップ売切装置２２６を介して接続されている。
【００３０】
各シロップコンテナ２２５には、それぞれ、炭酸ガスボンベ２２２から炭酸ガスが供給されている。そして各シロップコンテナ２２５は、シロップ弁２２７を介して液体注出ノズル２４０に接続されている。シロップ弁２２７を開放すると、シロップコンテナ２２５に貯蔵されているシロップが炭酸ガスボンベ２２２から供給される炭酸ガスの圧力で押し出され、シロップ売切装置２２６及びシロップ冷却コイル２２４を通流した後、液体注出ノズル２４０からカップＣに注出される。
【００３１】
製氷機２２８は、貯水タンク３００から供給された水を製氷して貯蔵する。自動販売機１０００は、アイス飲料を販売するときには、製氷機２２８に貯蔵されている氷をアイスダクト（図示せず）を通じてカップＣに供給する。
【００３２】
また、給水弁２２９を介して温水回路２１５に供給された水は、温水タンク２３０に注入され、温水タンク２３０内のヒータ２４１で加熱されて湯になる。温水タンク２３０には、複数の湯弁２３１が設けられている。各湯弁２３１は、湯管路２３２によってミキシングボウル２３３、２３８、コーヒーブリュア２３７、あるいは飲料ノズル２４０に接続されている。湯弁２３１を開放すると、温水タンク２３０内の湯が、湯管路２３２を通って、ミキシングボウル２３３、２３８、コーヒーブリュア２３７、あるいは飲料ノズル２４０を介してカップＣに供給される。
【００３３】
ミキシングボウル２３３は、パウダキャニスタ２３４から供給された粉末原料と、温水タンク２３０から供給された湯とを攪拌してホット飲料とした後に、このホット飲料を液体注出ノズル２４０からカップＣに注出する。
【００３４】
コーヒーブリュア２３７は、コーヒー豆キャニスタ２３５から供給され、ミル２３６で挽いたコーヒー挽き豆に、温水タンク２３０から供給された湯を注ぐことにより、コーヒー液を注出する。そして、コーヒー液を注出後のコーヒー豆の注出滓は滓バケツ２０３に廃棄される。
【００３５】
またコーヒーブリュア２３７には、ミキシングボウル２３８が接続されている。
【００３６】
ミキシングボウル２３８は、コーヒーブリュア２３７から注出されたコーヒー液と、砂糖、クリームなどの粉末原料を貯蔵するパウダキャニスタ２３９から供給された粉末原料とを混合、攪拌し、コーヒー飲料として液体注出ノズル２４０からカップＣに注出する。
【００３７】
以上説明した自動販売機１０００の液体回路２００は、ベンドステージ２０２に載置されたカップＣにコーヒー飲料を注出する際には、コーヒー豆キャニスタ２３５から供給され、ミル２３６で挽いたコーヒー挽き豆をコーヒーブリュア２３７に供給する一方、湯弁２３１を開放して温水タンク２３０に貯えている湯を湯管路２３２からコーヒーブリュア２３７に供給する。そして、コーヒー挽き豆と湯の混合体からコーヒー液を注出し、ミキシングボウル２３８にコーヒー液を供給する。そしてミキシングボウル２３８において、パウダキャニスタ２３９から供給される砂糖、クリームなどの粉末原料とコーヒー液とを攪拌混合した後、液体注出ノズル２４０からカップＣにコーヒー飲料を注出する。
【００３８】
また、自動販売機１０００の液体回路２００は、は、炭酸飲料等のアイス飲料を供給する際には、液体注出ノズル２４０から濃縮シロップと炭酸水をカップＣに注出し、さらに製氷機２２８から氷を供給してカップＣ内でこれらを攪拌して炭酸飲料とする。
【００３９】
===後垂れ液の処理について===
次に図３〜図７を参照しながら、本実施形態に係る自動販売機１０００において、飲料をカップＣに注出する液体注出装置６００が、液体注出ノズル２４０からカップＣへの飲料注出を終了する際に、液体注出ノズル２４０から落下する後垂れ液をカップＣに付着させないようにするための構成について説明する。
【００４０】
図３は、本実施形態に係る自動販売機１０００の液体注出装置６００が備える液体注出ノズル２４０及び後垂れ防止ガイド（後垂れ液排出部材）７００を示す図である。図４は、後垂れ防止ガイド７００の斜視図である。図５は、本実施形態の後垂れ防止ガイド７００を用いることにより、液体注出ノズル２４０から落下する飲料の後垂れ液がカップＣへ付着することを防止する態様を説明するための図である。
【００４１】
図６は、本実施形態の後垂れ防止ガイド７００に形成されている回りこみ防止板（案内片）７１３を説明するための図である。図７は、本実施形態との比較のために、本実施形態とは異なる従来の後垂れ防止ガイド１７００を用いた場合に、カップＣに後垂れ液が付着する可能性があることを説明するための図である。
【００４２】
なお、図３〜図７においては、ｚ軸方向は鉛直方向を示し、ｙ軸方向はｚ軸と直交し、後垂れ防止ガイド７００が延伸する横方向に一致する方向を示し、ｘ軸方向は、ｙ軸及びｚ軸に直交する方向を示す。
【００４３】
本実施形態に係る自動販売機１０００の液体注出装置６００は、図３に示すように、カップＣを載置するベンドステージ２０２の上方（ｚ軸方向）に液体注出ノズル２４０及び後垂れ防止ガイド７００が配置されるように構成されている。
【００４４】
液体注出ノズル２４０は、自動販売機１０００内の液体回路２００を経て調理されたコーヒーやジュース、シロップ等の各種飲料がカップＣの内部に向けて吐出されるように配備される。そのため、図３において、飲料注出ノズル２４０は、カップＣの上方において飲料を吐出する吐出口２５２がカップＣの開口に対して斜め下方に向くように配置されている。なお、液体注出ノズル２４０は、ノズル本体２５１に設けられたノズル装着部２５０を、例えば本体側に設けられるノズル取り付け部（図示せず）に取り付けることにより、自動販売機１０００に装着される。
【００４５】
また液体注出ノズル２４０には、吐出口２５２から落下する後垂れ液を後垂れ防止ガイド７００の案内溝に案内するために、ノズル本体２５１と後垂れ防止ガイド７００との間に平板状の液体ガイド２５３が配置されている。
【００４６】
液体ガイド２５３は、吐出口２５２の下方から後垂れ防止ガイド７００の延伸する方向に沿って、かつカップＣから離れる方向に下り勾配で延伸する下向きの端面２５４を有する。そして、吐出口２５２から垂れる後垂れ液を端面２５４に沿って誘導して、後垂れ防止ガイド７００の案内溝に流下させる。
【００４７】
後垂れ防止ガイド７００は、液体注出ノズル２４０とカップＣとの間に配置され、一端がカップＣの開口の上部において後垂れ液の落下経路上に配置され、他端がカップＣの開口の外部に配置されている。そして後垂れ防止ガイド７００は、飲料が吐出口２５２から吐出し終わる際に吐出口２５２から落下する後垂れ液をカップＣの開口の外側に案内する案内溝（後垂れ液排出路７１０）が、一端から他端に向けて形成されている。この後垂れ液排出路７１０は、上記一端からカップＣの外側の上記他端に向かって斜め下方に傾斜している。後垂れ防止ガイド７００に形成されている後垂れ液排出路７１０を図４に示す。
【００４８】
図４に示すように、後垂れ防止ガイド７００は、後垂れ液の排出路となる後垂れ液排出路７１０と、後垂れ液排出路７１０に沿って両側面をなす側壁部７１１が形成されている。さらに後垂れ防止ガイド７００の上記一端側には、略板状の回り込み防止板７１３（案内片）が形成されている。回り込み防止板７１３は、後垂れ防止ガイド７００の一端側からカップＣ内に向けて下方に延伸するように形成される舌片であり、上記後垂れ液排出路７１０へ案内しきれない後垂れ液をカップＣの内部に案内することで、後垂れ液が後垂れ防止ガイド７００の下部外側面７１２に流れ込むのを防止する。
【００４９】
図５及び図７を参照しながら、後垂れ防止ガイド７００に回り込み防止板７１３を設けることによって、吐出口２５２からの飲料の吐出が終了する際に吐出口２５２から垂れる後垂れ液が、後垂れ防止ガイド７００の下部外側面７１２に流れ込むのを防止する様子について説明する。
【００５０】
まず、液体注出ノズル２４０が飲料をカップＣに吐出している際の飲料の落下経路を図５の（Ａ）に示す。この場合は、吐出口２５２から吐出された飲料は、液体ガイド２５３や後垂れ防止ガイド７００に接触することなく、カップＣの内部に向かって斜め下方に落下する。
【００５１】
次に、液体注出ノズル２４０が飲料の吐出を終了する際には、図５の（Ｂ）のように、飲料の吐出量が低下し、吐出圧が低下するに伴い、吐出口２５２から吐出される飲料の速度が低下し、飲料の落下経路は鉛直下向きに近付く。
【００５２】
そしてさらに飲料の吐出量が低下すると、図５の（Ｃ）のように、吐出口２５２から落下した後垂れ液が液体ガイド２５３に接触するようになる。そして液体ガイド２５３に接触した後垂れ液は、液体ガイド２５３の下向きの端面２５４に誘導されて、図５の（Ｃ）のように、落下経路がカップＣの外方に向かう。このとき、液体ガイド２５３から落下した後垂れ液は、後垂れ防止ガイド７００の一端側に形成されている回りこみ防止板７１３に当たり、回りこみ防止板７１３の下端からカップＣの内部に落下する。
【００５３】
その後、吐出口２５２からの後垂れ液の量がさらに減少すると、図５の（Ｄ）や（Ｅ）のように、後垂れ液は、液体ガイド２５３の下向きの端面２５４により強く誘導されるようになり、後垂れ防止ガイド７００の後垂れ液排出路７１０上に流下するようになる。
【００５４】
後垂れ液排出路７１０に流下した後垂れ液は、カップＣの外方に向かう下り傾斜に沿って案内され、カップＣの外部に排出される。
【００５５】
このように、カップＣの開口部の上方における後垂れ液の落下経路上に後垂れ防止ガイド７００の一端側を配置し、この一端側に略板状の回りこみ防止板７１３をカップＣの開口に向けて下方に突出するように形成することにより、液体注出ノズル２４０から垂れる後垂れ液がカップＣに付着するのをより確実に防止することが可能となる。
【００５６】
ここで比較のために、図７を参照しながら、本実施形態とは異なる従来型の後垂れ防止ガイド１７００を用いた場合における後垂れ液の落下経路ついて説明する。図７に示す後垂れ防止ガイド１７００は、後垂れ液の落下経路上の一端側に回りこみ防止板７１３が形成されていない。
【００５７】
図７の（Ａ）、（Ｂ）、（Ｃ）、（Ｄ）、（Ｅ）は、それぞれ図５の（Ａ）、（Ｂ）、（Ｃ）、（Ｄ）、（Ｅ）と対応している。このうち、図７の（Ａ）、（Ｂ）、（Ｄ）、（Ｅ）の後垂れ液の落下経路は、それぞれ図５の（Ａ）、（Ｂ）、（Ｄ）、（Ｅ）の後垂れ液の落下経路と同じである。
【００５８】
ところが、図７の（Ｃ）に示す落下経路は図５の（Ｃ）に示す落下経路とは異なり、吐出口２５２から落下した後垂れ液は、液体ガイド２５３に接触した後、後垂れ防止ガイド１７００の一端側に当たるが、後垂れ防止ガイド１７００の一端側に当たった後、カップＣ内に落下するほか、一部は後垂れ防止ガイド１７００の下部外側面１７１２に回り込んでしまう。
【００５９】
後垂れ液の減少と共に後垂れ液の落下経路が図７の（Ａ）から（Ｅ）に変化する間に、後垂れ液が図７の（Ｃ）に示す落下経路を辿るタイミングがあるが、その際に後垂れ液が後垂れ防止ガイド１７００の下部外側面１７１２に回り込む可能性がある。後垂れ液が後垂れ防止ガイド１７００の下部外側面１７１２に回り込むと、この後垂れ液がカップＣの縁の付近で落下し、後垂れ液がカップＣの外側面に付着するおそれがある。
【００６０】
本実施形態に係る液体注出装置６００の後垂れ防止ガイド７００は、後垂れ液の落下経路上に配置される一端側から略板状の回りこみ防止板７１３がカップＣの開口に向けて下方に突出するように形成されているので、後垂れ防止ガイド７００の下部外側面７１２に後垂れ液が回り込むのを防止でき、液体注出ノズル２４０から垂れる後垂れ液がカップＣに付着するのをより確実に防止することが可能となる。
【００６１】
次に、本実施形態に係る後垂れ防止ガイド７００に形成される回り込み防止板７１３の構成について、図６を参照しながら説明する。
【００６２】
図６に示すように、回り込み防止板７１３は、後垂れ防止ガイド７００の一端側からカップＣ内に向けて下方に延出するように構成されており、上方から落下してくる後垂れ液を受ける、後垂れ防止ガイド７００の一端側の第１の面７１４と、他端側の第２の面７１５と、を有している。
【００６３】
後垂れ防止ガイド７００の後垂れ液排出路７１０へ案内しきれない後垂れ液や第１の面７１４に当たった後垂れ液は、そのまま重力により第１の面７１４に沿って下方に案内され、回りこみ防止板７１３の下端部ＴからカップＣ内に落下する。あるいは、後垂れ液の量が少ない場合には、後垂れ液は、第１の面７１４に沿って下方に案内された後、回りこみ防止板７１３の下端部Ｔにおいて滞留する。下端部Ｔにおいて滞留した後垂れ液は、その後続いて第１の面７１４に沿って流下してくる後垂れ液と合流し、所定の大きさになると下端部ＴからカップＣ内に落下する。
【００６４】
ここで、本実施形態に係る後垂れ防止ガイド７００の回りこみ防止板７１３は、下端部Ｔに滞留する後垂れ液が、後垂れ防止ガイド７００の下部外側面７１２に回り込むことがなくまた、下端部Ｔに後垂れ液が滞留しにくいように、形状や材質が設定されている。
【００６５】
具体的には図６に示すように、まず、回り込み防止板７１３の第２の面７１５の下端部Ｔ側の第１の辺Ｅ１と、第２の面７１５が後垂れ防止ガイド７００の下部外側面７１２と交差する第２の辺Ｅ２と、の間の距離Ｌ（回りこみ防止板７１３の長さＬ）が、下端部Ｔ（第１の辺Ｅ１）に滞留する後垂れ液が第２の辺Ｅ２に接触しないような長さに設定されている。
【００６６】
つまり図６に示すように、回りこみ防止板７１３の下端部Ｔの近傍に滞留する後垂れ液の第２の面７１５側における最も高い位置Ｐが、第２の辺Ｅ２よりも低い位置になるように、距離Ｌ（回りこみ防止板７１３の長さＬ）が定められている。
【００６７】
これにより、後垂れ液が回りこみ防止板７１３の下端部Ｔにおいて滞留する場合であっても、この後垂れ液が後垂れ防止ガイド７００の下部外側面７１２に回り込まないようにすることができ、液体注出ノズル２４０から垂れる後垂れ液がカップＣに付着するのをより確実に防止することが可能となる。
【００６８】
なお、第２の面７１５側において後垂れ液が最高位となる位置Ｐは、回り込み防止板７１３の材質や形状、飲料の種類、雰囲気の温度等の様々な条件により複雑に変動する。
【００６９】
そのため、回りこみ防止板７１３の材質や形状は、飲料の種類や液体注出装置６００（自動販売機１０００）が使用される環境温度等の様々な条件を考慮しながら、最適に定められている。
【００７０】
たとえば回り込み防止板７１３の材質に関しては、より撥水性の高い材質を用いることにより、後垂れ液と回りこみ防止板７１３との親和性を低下させ、後垂れ液を下端部Ｔに滞留しにくくできるので、第２の面７１５側において後垂れ液が最高位となる位置Ｐを低くすることができる。
【００７１】
このため、回りこみ防止板７１３の材質としては、撥水性が比較的高く、毒性がないポリプロピレンを用いることが好ましい。あるいは、ステンレス等の金属の表面を研磨あるいはコーティング、フィルムの貼付等により処理して撥水性を向上させて回りこみ防止板７１３を構成するようにしても良い。
【００７２】
また、回りこみ防止板７１３の形状に関しては、上記回り込み防止板７１３の長さＬの他に、後垂れ防止ガイド７００の長手方向における回りこみ防止板７１３の厚みが、カップＣの開口に向かうにつれて薄くなるようにして、第１の面７１４と第２の面７１５との間の距離が、カップＣの開口部に近付くにつれて小さくなるようにすると、後垂れ液が下端部Ｔに滞留しにくくなるので、第２の面７１５側において後垂れ液が最高位となる位置Ｐを低くすることができるため、より好ましい。
【００７３】
さらにこの場合、第１の面７１４と第２の面７１５とが、カップＣの開口に対する回りこみ防止板７１３の下端部Ｔにおいて鋭角に交わるようにして下端部Ｔを先鋭に形成すると、後垂れ液が下端部Ｔにおいてさらに滞留しにくくなるので、第２の面７１５側において後垂れ液が最高位となる位置Ｐを低くすることができるため、より好ましい。
【００７４】
第１の面７１４と第２の面７１５との間の角度Ａは、小さくするほど下端部Ｔにおける後垂れ液の滞留が困難になるため好ましいが、回り込み防止板７１３の強度も低下する。そのため、例えばポリプロピレンを用いる場合には２０°程度にすると、下端部Ｔにおける後垂れ液の滞留も少なくでき、しかも回りこみ防止板７１３の強度も確保できるため、好ましい。ただし、上述したように回りこみ防止板７１３をステンレス等の金属板で構成した場合には、強度上の問題を生ずることなく角度Ａを０°まで小さくすることが可能であり好ましい。
【００７５】
さらに、回りこみ防止板７１３の形状に関して、下端部Ｔに面取り加工を施すようにしても良い。下端部Ｔに面取り加工を施すことによって、飲料の購入者やルートマン等がベンドステージ２０２からカップＣを取り出す際に下端部Ｔに手や指等が触れた場合の怪我を防止することができ、この液体注出装置６００を備える自動販売機１０００の安全性を向上させることができる。
【００７６】
面取り加工は、第１の面７１４と第２の面７１５との間を平面状に面取り（Ｃ面取り）するようにしても良いし、曲面状に面取り（Ｒ面取り）しても良いが、面取りの寸法を大きくしすぎると、下端部Ｔに後垂れ液が残留しやすくなる上、下端部Ｔから後垂れ液が落下した後の落下方向のばらつきが大きくなり、後垂れ液が広範囲に飛散する可能性がある。このため、下端部Ｔに面取り加工を施す場合には、例えばR0.1程度とするのが好ましい。
【００７７】
以上、本発明の好適な実施形態を説明したが、本実施の形態のように後垂れ防止ガイド７００に回りこみ防止板７１３を設けることにより、後垂れ液のカップＣへの付着をより確実に防止することが可能になる。
【００７８】
なお上記実施形態は本発明の説明のための例示であって、本発明の範囲を上述の実施形態にのみ限定する趣旨ではない。本発明は、他の種々の形態でも実施することが可能である。
【００７９】
例えば上記実施形態では、液体注出ノズル２４０が液体ガイド２５３を備える構成について説明したが、液体ガイド２５３を設けない構成においても本願発明を適用することが可能である。
【符号の説明】
【００８０】
１０２    前扉
１１０    接客面
１１１    商品選択ボタン
１１２    砂糖増減ボタン
１１３    クリーム増減ボタン
１１９    商品取出口
１２０    増減量表示ランプ
１２１    増減量表示ランプ
２００    液体回路
２０２    ベンドステージ
２１０    希釈液供給回路
２１３    給水弁
２１４    冷水回路
２１５    温水回路
２１６    冷却水槽
２１７    水冷却コイル
２１８    給水弁
２１９    カーボネータ
２２０    冷水管路
２２１    冷水弁
２２８    製氷機
２２９    給水弁
２３０    温水タンク
２３１    湯弁
２３２    湯管路
２４０    液体注出ノズル
２４１    ヒータ
２４２    送水路
２４３    送水路
２５０    ノズル装着部
２５１    ノズル本体
２５２    吐出口
２５３    液体ガイド
２５４    端面
３００    貯水タンク
４００    送水ポンプ
６００    液体注出装置
７００    後垂れ防止ガイド
７１０    後垂れ液排出路
７１１    側壁部
７１２    下部外側面
７１３    回り込み防止板
７１４    第１の面
７１５    第２の面
１０００  自動販売機
１７１０  後垂れ防止ガイド
１７１２  下部外側面
【図１】
2014081889.tif 000003
【図２】
2014081889.tif 000004
【図３】
2014081889.tif 000005
【図４】
2014081889.tif 000006
【図５】
2014081889.tif 000007
【図６】
2014081889.tif 000008
【図７】
2014081889.tif 000009